(57)【要約】【課題】エレベータ運転盤の操作スイッチを元の状態に戻すことができるエレベータの運転操作盤の提供。【解決手段】エレベータの乗かご内に設けられ、乗かごの位置を表示する表示パネル１２と、行き先階の登録やドア開閉を行なう複数個の押し釦１３，１４と、施錠された扉の内部に配設される複数個の操作スイッチ１１とで、少なくとも構成されるエレベータの運転操作盤において、複数個の操作スイッチ１１に対し、押圧時のＯＮ，ＯＦＦ状態を記憶させる記憶釦２１と、記憶した複数個の操作スイッチ２１の状態を表示パネル１２へ表示させる表示釦２２とを備えたものである。【選択図】図３
2010058924.tif 000002
【特許請求の範囲】
【請求項１】
エレベータの乗かご内に設けられ、前記乗かごの位置を表示する表示パネルと、行き先階の登録やドア開閉を行なう複数個の押し釦と、施錠された扉の内部に配設される複数個の操作スイッチとで、少なくとも構成されるエレベータの運転操作盤において、
前記複数個の操作スイッチに対し、押圧時のＯＮ，ＯＦＦ状態を記憶させる記憶指令釦と、記憶した前記複数個の操作スイッチの状態を前記表示パネルヘ表示させる表示指令釦とを備えたことを特徴とするエレベータの運転操作盤。
【請求項２】
請求項１記載のエレベータの運転操作盤において、
前記記憶指令釦及び前記表示指令釦は、前記複数個の操作スイッチの近傍に配置したことを特徴とするエレベータの運転操作盤。
【発明の詳細な説明】
【技術分野】
【０００１】
本発明は、エレベータの運転操作盤に関する。
【背景技術】
【０００２】
従来のエレベータ運転操作スイッチ部は、運転操作盤の下部に設けられ、通常の運転では操作しないためカバーで被っている。この操作スイッチは主にビルの管理人やエレベータ保守員が操作する。この操作スイッチには、エレベータの電源スイッチや停止スイッチ、ドア止めスイッチ、乗りかご内の換気を行う換気扇スイッチなどがある。
【０００３】
一方で、近年のエレベータは、セキュリティに対する関心の高まりから、行き先階登録ボタンの操作を暗証番号入力器やＩＤカード認識装置などにより制限する機能を備えているものもある。このような機能は、エレベータの保守点検の際には円滑な作業を阻害する要因ともなるため、運転操作盤内に有効、無効を切り替える操作スイッチが備えられている。
【０００４】
この行き先階登録ボタン入力制限のように、近年のエレベータは高機能化しており、それに伴い操作スイッチの種類も増えている。
【０００５】
このように、操作スイッチの種類は多種多様であるが、特に電源スイッチや停止スイッチ、ドア止めスイッチなどは、誤操作するとエレベータが停止したり、ドアが開かなかったりするなど状況によっては閉じ込め事故と判断されるような場合もある（特許文献１参照）。
【特許文献１】実開平７−４２３５１号公報
【発明の開示】
【発明が解決しようとする課題】
【０００６】
上述のように、操作スイッチの種類は多種多様であるため、エレベータの保守点検の際に、作業終了後に戻し忘れてしまう、または作業前の操作スイッチの状態がわからなくなってしまう場合があった。
【０００７】
例えば、各階におけるドアの開閉状態の点検を行う際、暗証番号等による行き先階登録ボタン操作制限を無効として点検を実施するが、点検終了後にこの操作スイッチを有効側に切り替える操作を忘れる場合が考えられる。行き先階登録ボタン操作制限を無効とした場合、エレベータが運転できなくなるわけではなく、誰にでも自由に任意の階に出入できる状態となる。これはセキュリティ上の不備となるため、顧客クレームとなる可能性がある。
【０００８】
同様に、乗りかご上部の機器を点検する際は、換気扇スイッチを操作して天井の換気扇を停止するが、点検終了後に換気扇スイッチを戻し忘れることも考えられる。
【０００９】
また、エレベータの運転や乗降が不能となるという閉じ込め事故につながる誤操作を防止するもので、エレベータの運転及び乗降は可能であるが、一部機能に支障が生じるような操作スイッチの戻し忘れに対して解決できない。
【００１０】
本発明の目的は、エレベータ運転盤の操作スイッチを元の状態に戻すことができるエレベータの運転操作盤を提供することにある。
【課題を解決するための手段】
【００１１】
上記目的を達成するために本発明は、エレベータの乗かご内に設けられ、前記乗かごの位置を表示する表示パネルと、行き先階の登録やドア開閉を行なう複数個の押し釦と、施錠された扉の内部に配設される複数個の操作スイッチとで、少なくとも構成されるエレベータの運転操作盤において、前記複数個の操作スイッチに対し、押圧時のＯＮ，ＯＦＦ状態を記憶させる記憶指令釦と、記憶した前記複数個の操作スイッチの状態を前記表示パネルヘ表示させる表示指令釦とを備えたものである。
【発明の効果】
【００１２】
上記のように構成した本発明では、操作スイッチを操作する前に現在の操作スイッチの状態を記憶させておき、元の状態に戻す時は、表示パネルにより記憶してある操作スイッチ状態を確認できるので、操作スイッチを誤りなく元の状態に戻すことができる。
【発明を実施するための最良の形態】
【００１３】
以下、本発明係るエレベータの運転操作盤の実施形態について説明する。
【００１４】
図１は本発明の一実施形態に係る運転操作盤の正面図で、図２は操作スイッチ内部の正面図で、図３は運転操作盤の制御回路構成図で、図４、図５は表示パネルの表示例を示す説明図で、図６は操作スイッチや表示の処理手順を示すフローチャートである。
【００１５】
図において、エレベータの乗かごに設けられる運転操作盤１は、操作スイッチ部１１と、乗かご位置を表示する表示パネル１２と、ドア開閉釦１３と、複数個の行先階登録釦１４を少なくとも備えている。
【００１６】
また、操作スイッチ部１１は通常施錠されておりその内部には、
複数個の操作スイッチ２３と、押圧したときの操作スイッチＯＮ，ＯＦＦ状態を記憶装置３３へ記憶させる記憶指令釦２１と、
記憶した操作スイッチ状態を１２へ表示させる表示指令釦２２とが配列され、複数個の操作スイッチ２３、記憶指令釦２１及び記憶指令釦２１はスイッチ配列板１１Ａに取付けられている。
【００１７】
また、運転操作盤１の制御回路は、図３に示すように、操作スイッチ２３、記憶釦２１、表示釦２２、行き先階登録釦１４、開釦・閉釦１３からの入力を、制御部３にて処理し、表示パネル１２への表示、およびエレベータ制御部４への情報送信を行う構成となっている。ここで、制御部３は情報処理部３１、表示制御回路３２、記憶装置３３、通信回路３４を備え、エレベータ制御部４は通信回路３４により送信された情報に従ってエレベータの運行制御を行っている。
【００１８】
次に、情報処理部３１の処理内容を、図６のフローチャートを用いて説明する。
【００１９】
ステップＳ１１にて、情報処理部３１は、表示制御回路３２を介して、表示パネル１２に図４に示すエレベータの運行状況を表示する。この運行状況は、エレベータ制御部４から通信回路３４を介して受信した情報にて表示するものである。
【００２０】
ステップＳ１２にて、記憶釦２１が押されたかを判定し、押された場合はステップＳ１３へ進む。押されていない場合は、ステップＳ１１に進む。
【００２１】
ステップＳ１３にて、操作スイッチ２３の状態を記憶装置３３に記憶し、ステップＳ１４に進む。
【００２２】
ステップＳ１４にて、表示釦２２が押されたかを判定し、押された場合はステップＳ１５へ進む。押されていない場合は、ステップＳ１４を繰り返す。
【００２３】
ステップＳ１５にて、記憶装置３３に記憶した操作スイッチ状態を読み出し、ステップＳ１６へ進む。
【００２４】
ステップＳ１６にて、表示制御回路３２を介して、表示パネル１２に図５に示すように操作スイッチ状態を表示、ステップＳ１７に進む。
【００２５】
ステップＳ１７にて、表示釦２２が押されたかを判定し、押された場合はステップＳ１８へ進む。押されていない場合は、ステップＳ１７を繰り返す。
【００２６】
ステップＳ１８にて、表示制御回路３２を介して、表示パネル１２に図４に示すエレベータの運行状況を表示しステップＳｌｌへ進む。
【００２７】
以上のように構成することで、エレベータ保守点検作業の際に、最初に記憶釦２１を押して操作スイッチ２３の状態を記憶装置３３に記憶させておき、続いて必要に応じて操作スイッチ２３を操作、最後に表示釦２２を押して作業前の操作スイッチ２３の状態を表示パネル１２に表示することができるので、操作スイッチ２３を確実に作業前の状態に戻すことができる。
【図面の簡単な説明】
【００２８】
【図１】本発明の一実施形態に係る運転操作盤の正面図である。
【図２】本発明の一実施形態を示す操作スイッチ内部の正面図である。
【図３】本発明の一実施形態を示す運転操作盤の制御回路構成図である。
【図４】本発明の一実施形態を示す表示パネルの表示例を示す説明図である。
【図５】本発明の一実施形態を示す表示パネルの表示例を示す説明図である。
【図６】本発明の一実施形態を示す操作スイッチや表示の処理手順を示すフローチャートである。
【符号の説明】
【００２９】
１  運転操作盤
１２  表示パネル
２１  記憶釦
２２  表示釦
２３  操作スイッチ
３３  記憶装置
【図１】
2010058924.tif 000003
【図２】
2010058924.tif 000004
【図３】
2010058924.tif 000005
【図４】
2010058924.tif 000006
【図５】
2010058924.tif 000007
【図６】
2010058924.tif 000008